(57)【要約】【課題】景品交換業務の正確性を確保しつつ、景品交換業務を円滑化する。【解決手段】景品交換システムは、遊技媒体の計数情報を景品数に換算する換算手段５１と、景品数の情報を第１の景品交換情報として記録した記録媒体１９を発行する記録媒体発行手段５４と、景品価値情報が記録されている景品１３を景品数に対応するように払い出す景品払出手段５３と、記録媒体１９の記録を読み取ることによって第１の景品交換情報を取得する記録媒体読取手段６３と、景品１３の景品価値情報を読み取って、それを第２の景品交換情報として取得する景品読取手段６２と、第１及び第２の景品交換情報を照合する景品交換情報照合手段６１と、を備えている。【選択図】図１
2010142405.tif 000002
【特許請求の範囲】
【請求項１】
第１の景品交換所に設置されると共に、遊技客が獲得した遊技媒体の計数情報を取得して、それを景品数に換算する換算手段と、
前記第１の景品交換所に設置されると共に、前記換算手段によって換算された景品数の情報を、第１の景品交換情報として機械読み取り可能に記録した記録媒体を発行する記録媒体発行手段と、
前記第１の景品交換所に設置されると共に、前記換算手段によって換算された景品数に基づき、景品価値情報が記録されている景品を、前記景品数に対応するように払い出す景品払出手段と、
第２の景品交換所に設置されると共に、前記記録媒体発行手段によって発行された前記記録媒体に記録されている記録を読み取ることによって、前記第１の景品交換情報を取得する記録媒体読取手段と、
前記第２の景品交換所に設置されると共に、前記景品払出手段によって払い出された景品に記録されている景品価値情報を読み取って、それを第２の景品交換情報として取得する景品読取手段と、
前記第２の景品交換所に設置されると共に、前記取得した第１及び第２の景品交換情報を照合する景品交換情報照合手段と、を備えていることを特徴とする景品交換システム。
【請求項２】
請求項１に記載の景品交換システムにおいて、
前記換算手段は、前記景品交換情報照合手段に対して情報送信可能に接続されており、
前記換算手段は、換算した景品数の情報を、第３の景品交換情報として前記景品交換情報照合手段に送信するように構成され、
前記景品交換情報照合手段は、前記第１、第２及び第３の景品交換情報を照合するように構成されていることを特徴とする景品交換システム。
【請求項３】
請求項１又は２に記載の景品交換システムにおいて、
前記景品交換情報照合手段は、照合結果が一致しているときには、前記第２の景品交換情報に対応する貨幣の払い出しを許可すると共に、前記照合結果が一致していないときには、その旨を報知するように構成されていることを特徴とする景品交換システム。
【請求項４】
遊技客に対して発行された記録媒体に記録されている情報を読み取ることによって、当該遊技客が獲得した遊技媒体の計数情報を景品数に換算した第１の景品交換情報を取得する記録媒体読取手段と、
前記遊技客が払出を受けた景品に記録されている景品価値情報を読み取って、それを第２の景品交換情報として取得する景品読取手段と、
前記取得した第１及び第２の景品交換情報を照合する景品交換情報照合手段と、を備えていることを特徴とする景品交換システム。
【請求項５】
請求項４に記載の景品交換システムにおいて、
前記景品交換情報照合手段は、照合結果が一致しているときには、前記第２の景品交換情報に対応する貨幣の払い出しを許可すると共に、前記照合結果が一致していないときには、その旨を報知するように構成されていることを特徴とする景品交換システム。
【請求項６】
請求項５に記載の景品交換システムにおいて、
前記景品交換情報照合手段からの貨幣の払い出し許可信号を受けて、前記第２の景品交換情報に対応する貨幣の払い出しを行う貨幣払出手段をさらに備えていることを特徴とする景品交換システム。
【請求項７】
記録媒体に記録されている、遊技客が獲得した遊技媒体の計数情報を景品数に換算した第１の景品交換情報を取得する第１の情報取得部と、
景品に記録されている景品価値情報である第２の景品交換情報を取得する第２の情報取得部と、
前記第１の情報取得部が取得した第１の景品交換情報と、前記第２の情報取得部が取得した第２の景品交換情報とを照合する景品交換情報照合部と、を備えていることを特徴とする景品交換システム用の管理装置。
【請求項８】
請求項７に記載の管理装置において、
前記景品交換情報照合部は、照合結果が一致しているときには、前記第２の景品交換情報に対応する貨幣の払い出しを許可すると共に、前記照合結果が一致していないときには、その旨を報知するように構成されていることを特徴とする景品交換システム用の管理装置。
【発明の詳細な説明】
【技術分野】
【０００１】
本発明は、パチンコホール等の遊技ホールが遊技客に提供した、景品価値情報を含む情報が記録された特殊景品を、該遊技客が景品交換所で現金に交換するための景品交換システムに関する技術分野に属する。
【背景技術】
【０００２】
従来より、この種の景品交換システムはよく知られている（例えば特許文献１及び２参照）。このシステムでは、遊技客は、獲得した遊技媒体を計数機によって計数した後に、遊技ホールの景品交換カウンター（第１の景品交換所）において、それを景品数に換算して、当該景品数に対応する特殊景品の払い出しを受ける。特殊景品は、景品価値情報等の情報が記録されたＩＣタグやバーコード等を有しており、当該特殊景品を遊技ホールで受け取った遊技客は、その特殊景品を持って景品交換所（第２の景品交換所）へ行き、そこで特殊景品を現金に交換することになる。
【０００３】
景品交換所には、前記特殊景品のＩＣタグ等に記録された景品価値情報等を読み取る景品読取装置と、現金を出金する現金出金装置と、前記景品読取装置により読み取られた情報を入力して、該情報に基づいて前記現金出金装置に対して現金の出金指示を出力する入出金管理装置とが配設されている。
【０００４】
そして、通常は、景品交換所に係員がいて、その係員が、景品交換所に来た遊技客（来場者）から特殊景品を預かって、その特殊景品を景品読取装置に装填する。すると、景品読取装置が景品価値情報を読み取って、その読み取った情報に基づいて、現金出金装置から現金（紙幣や硬貨）が出金され、この現金を係員が遊技客に渡すことになる。
【特許文献１】特開２００２−２００３１０号公報
【特許文献２】特開２００５−２４５８４０号公報
【発明の開示】
【発明が解決しようとする課題】
【０００５】
ところで、前記遊技ホールの景品交換カウンターと景品交換所との間で、別の特殊景品を紛れ込ませたりする不正を防止するために、遊技ホールの景品交換カウンターにおいて、払い出した特殊景品に関する情報を印字したレシートが発行される場合もある。この場合景品交換所においては、遊技客が持ち込んだ特殊景品から読み取った景品価値情報と、レシートに印字されている情報とを係員が照合して、それらが互いに一致する場合に、現金を出金することになる。
【０００６】
ところが、こうしたレシートを発行するシステムでは、遊技ホールの景品交換カウンターにおけるレシートの発行や、景品交換所におけるレシートの照合等が煩雑になり、景品交換業務が円滑に行われなくなる虞がある。
【０００７】
また、景品交換所では、係員の目視によって照合が行われるため、ミスが生じたり、又は、不正が生じたりする虞もある。
【０００８】
本発明は、斯かる点に鑑みてなされたものであり、その目的とするところは、景品交換業務の正確性を確保しつつ、その景品交換業務を円滑化することにある。
【課題を解決するための手段】
【０００９】
景品交換システムは、第１の景品交換所に設置されると共に、遊技客が獲得した遊技媒体の計数情報を取得して、それを景品数に換算する換算手段と、前記第１の景品交換所に設置されると共に、前記換算手段によって換算された景品数の情報を、第１の景品交換情報として機械読み取り可能に記録した記録媒体を発行する記録媒体発行手段と、前記第１の景品交換所に設置されると共に、前記換算手段によって換算された景品数に基づき、景品価値情報が記録されている景品を、前記景品数に対応するように払い出す景品払出手段と、第２の景品交換所に設置されると共に、前記記録媒体発行手段によって発行された前記記録媒体に記録されている記録を読み取ることによって、前記第１の景品交換情報を取得する記録媒体読取手段と、前記第２の景品交換所に設置されると共に、前記景品払出手段によって払い出された景品に記録されている景品価値情報を読み取って、それを第２の景品交換情報として取得する景品読取手段と、前記第２の景品交換所に設置されると共に、前記取得した第１及び第２の景品交換情報を照合する景品交換情報照合手段と、を備えている。
【００１０】
第１の景品交換所は、例えば遊技ホールの景品交換カウンターに相当し、遊技客が獲得し、例えば計数機によって計数された遊技媒体の計数情報は、換算手段によって景品数に換算される。換算された景品数に基づいて、それに対応する景品が、景品払出手段によって払い出される。ここで、景品には、景品価値情報が記録されている。
【００１１】
第１の景品交換所にはまた、景品払出手段の他に記録媒体発行手段が設置されている。記録媒体発行手段は、換算された景品数の情報を第１の景品交換情報として、機械読み取り可能に記録した記録媒体を発行する。ここで、記録媒体としては、具体的には、情報の書込及び消去が可能なＩＣカードや、磁気カード等のカード類としてもよいし、例えば第１の景品交換情報をバーコードによって印字したレシート等の紙媒体としてもよい。
【００１２】
景品の払出と記録媒体の発行とを受けた遊技客は、第２の景品交換所に移動する。そこにおいて、景品読取手段によって景品に記録されている景品価値情報が読み込まれて、それが第２の景品交換情報となる。また、記録媒体に記録されている情報（第１の景品交換情報）は、記録媒体読取手段によって読み取られる。そうして、景品交換情報照合手段によって第１及び第２の景品交換情報が照合される。
【００１３】
このシステムでは、機械読み取り可能の情報を記録した記録媒体を利用しているため、情報を印字したレシートを利用した従来のシステムと比較して、景品交換業務（照合）が円滑に行われ、第２の景品交換所における照合を容易かつ正確にして、景品交換業務の正確性が確保される。
【００１４】
前記換算手段は、前記景品交換情報照合手段に対して情報送信可能に接続されており、前記換算手段は、換算した景品数の情報を、第３の景品交換情報として前記景品交換情報照合手段に送信するように構成され、前記景品交換情報照合手段は、前記第１、第２及び第３の景品交換情報を照合するように構成されている、としてもよい。
【００１５】
こうすることで、第２の景品交換所の景品交換情報照合手段は、前記第１及び第２の景品交換情報に加えて、前記換算手段から送信された第３の景品交換情報をも含めて、それらを互いに照合するため、景品交換業務の正確性がさらに向上する。
【００１６】
前記景品交換情報照合手段は、照合結果が一致しているときには、前記第２の景品交換情報に対応する貨幣の払い出しを許可すると共に、前記照合結果が一致していないときには、その旨を報知するように構成されている、としてもよい。
【００１７】
景品交換情報照合手段による照合結果に応じて、その照合結果が一致しているときには、第１の景品交換所において払い出された景品と、第２の景品交換所に持ち込まれた景品とが互いに一致していることになるから、第２の景品交換情報に対応する貨幣の払い出しを許可する一方、照合結果が一致していないときには、第１の景品交換所において払い出された景品と、第２の景品交換所に持ち込まれた景品とが一致していない可能性があるから、第２の景品交換所の係員に注意を喚起すべく、その旨を報知する。
【００１８】
景品交換システムは、遊技客に対して発行された記録媒体に記録されている情報を読み取ることによって、当該遊技客が獲得した遊技媒体の計数情報を景品数に換算した第１の景品交換情報を取得する記録媒体読取手段と、前記遊技客が払出を受けた景品に記録されている景品価値情報を読み取って、それを第２の景品交換情報として取得する景品読取手段と、前記取得した第１及び第２の景品交換情報を照合する景品交換情報照合手段と、を備えている。
【００１９】
このシステムは、前記第２の景品交換所に設置される景品交換システムに対応し、このシステムによれば、前述したように、景品交換業務の正確性を確保しつつ、景品交換業務が円滑化する。
【００２０】
このシステムにおいても、前記景品交換情報照合手段は、照合結果が一致しているときには、前記第２の景品交換情報に対応する貨幣の払い出しを許可すると共に、前記照合結果が一致していないときには、その旨を報知するように構成されている、としてもよい。
【００２１】
ここにおいて、このシステムは、前記景品交換情報照合手段からの貨幣の払い出し許可信号を受けて、前記第２の景品交換情報に対応する貨幣の払い出しを行う貨幣払出手段をさらに備えている、としてもよい。
【００２２】
こうすることで、貨幣払出手段により、第２の景品交換情報に対応する貨幣が自動的に払い出されるため、景品交換業務の正確性を確保しつつ、景品交換業務がさらに円滑化する。
【００２３】
景品交換システム用の管理装置は、記録媒体に記録されている、遊技客が獲得した遊技媒体の計数情報を景品数に換算した第１の景品交換情報を取得する第１の情報取得部と、景品に記録されている景品価値情報である第２の景品交換情報を取得する第２の情報取得部と、前記第１の情報取得部が取得した第１の景品交換情報と、前記第２の情報取得部が取得した第２の景品交換情報とを照合する景品交換情報照合部と、を備えている。
【００２４】
この装置は、前記第２の景品交換所に設置される景品交換情報照合手段に対応し、この装置によれば、前述したように、景品交換業務の正確性を確保しつつ、景品交換業務が円滑化する。
【００２５】
前記景品交換情報照合部は、照合結果が一致しているときには、前記第２の景品交換情報に対応する貨幣の払い出しを許可すると共に、前記照合結果が一致していないときには、その旨を報知するように構成されている、としてもよい。
【発明の効果】
【００２６】
以上説明したように、本発明によると、機械読み取り可能の情報を記録した記録媒体を利用して、当該記録媒体に記録されている第１の景品交換情報と、景品に記録されている景品価値情報に対応する第２の景品交換情報とを照合することにより、情報を印字したレシートを利用した従来のシステムと比較して、景品交換業務を円滑に行うことができると共に、第２の景品交換所における照合が容易かつ正確になり、景品交換業務の正確性を確保することができる。
【発明を実施するための最良の形態】
【００２７】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２８】
図１は、本発明の実施形態に係る景品交換システム全体の構成を示す。図１において、１は、遊技ホール（本実施形態では、パチンコホールであるが、これには限らない）であり、６は、遊技ホール１とは別の場所に位置する景品交換所（第２の景品交換所）である。
【００２９】
前記遊技ホール１内には、遊技機１１（本実施形態では、パチンコ遊技機）と、遊技客が遊技機１１で遊技して得た玉（遊技媒体）の数を計数する玉計数機１２とが設置されている。
【００３０】
前記遊技機１１、玉計数機１２及び後述する景品管理ターミナル５１は、ＬＡＮ１７を介して、これら全体の管理を行うターミナルコントローラ１０に接続されており、これらの各稼動状況等の情報がターミナルコントローラ１０に入力されるようになっている。このターミナルコントローラ１０は、入力された情報の処理を行い、その処理結果を不図示のディスプレイに表示する。そして、遊技ホール１の経営者等が、この処理結果から遊技機１１等の管理を行うことができるとともに、売上管理や各種分析を行うことができる。
【００３１】
玉計数機１２は、遊技客が獲得した玉を計数する装置であり、遊技客が玉計数機１２に玉を投入すると、玉計数機１２は、その投入された玉の数を計数して、該計数値等を記録したバーコードを含む計数レシート１８を出力する。そして、遊技客は、その計数レシート１８を持って、遊技ホール１内に設けられた景品交換カウンター５に行き、景品交換カウンター５の係員に前記計数レシート１８を渡す。
【００３２】
前記景品交換カウンター５（第１の景品交換所）には、不図示のバーコードリーダを備えた景品管理ターミナル５１と、該景品管理ターミナル５１とシリアル通信線５２を介して接続されかつ予め特殊景品１３を収容した景品払出機５３とが設置されている。景品交換カウンター５の係員が、遊技客から渡された前記計数レシート１８のバーコードに記録された情報（前記計数値）を、前記バーコードリーダに読み取らせる。これにより、前記計数値が景品管理ターミナル５１に入力される。景品管理ターミナル５１の操作によって「特殊景品への交換」が選択されると、景品管理ターミナル５１は、読み取った計数値を景品数に換算すると共に、景品払出機５３に対し、換算した景品数に対応する特殊景品１３を払い出すように指示する。景品払出機５３は、景品管理ターミナル５１からの指示を受けて特殊景品１３を払い出す。この特殊景品１３が、景品交換カウンター５の係員から遊技客に渡される。
【００３３】
ここで、前記特殊景品１３は、本実施形態では、図２に示すように、非接触ＩＣタグ（近傍型ＲＦＩＤ（Radio Frequency IDentification）タグ）１４を内蔵するカード型のものである。但し、特殊景品１３の形態は、これに限るものではない。このＩＣタグ１４は、タグ用アンテナ１５を介して無線通信を行うものであって、近傍型ＲＦＩＤアンテナに近接した際に、この近傍型ＲＦＩＤアンテナから送信される無線電波を受信し、該受信した無線電波により動作用電力を起動させる。そして、ＩＣタグ１４内部（メモリ）に記憶（記録）されている情報に応じて変化させた反射波を発生させ、無線電波の送信源に対して、その情報を読み取らせるようにする。
【００３４】
前記ＩＣタグ１４内部に記憶されている情報は、コピーによる不正をチェックするための、特殊景品１３毎に異なる景品識別符号の情報（遊技ホール１毎に異なる店番号と連番とからなる）、景品種類情報、偽造判定のためのセキュリティ情報、前記景品払出機５３から払い出されたときの日時情報、景品払出機５３において異常があったときのリジェクト情報等である。
【００３５】
前記景品種類としては、本実施形態では、大景品、中景品及び小景品の３種類であり、例えば、大景品は５０００円に相当し、赤色の外観を有し、中景品は１０００円に相当し、青色の外観を有し、小景品は２００円に相当し、黄色の外観を有している。すなわち、景品種類は、金額と対応しており、このことで、景品種類情報は景品価値情報（金額情報）でもある。尚、各種類毎の色情報もＩＣタグ１４に記憶するようにしてもよい。
【００３６】
また、前記特殊景品１３の表面の印刷部１６には、特殊景品１３の種類等が記録されたバーコードやホログラム等が印刷されている。
【００３７】
景品交換カウンター５にはまた、景品管理ターミナル５１とシリアル通信線５２を介して接続されかつ、景品カード１９を発行するカード発行機５４が設置されている。ここで、景品カード１９は、例えば情報の書込及び消去が可能なＩＣチップが埋め込まれた接触型又は非接触型ＩＣカードであり、後述するように、ＩＣチップに記憶されている情報を消去することによって、リサイクル利用される。
【００３８】
カード発行機５４は、景品管理ターミナル５１から出力された景品数の情報に基づいて、景品カード１９のＩＣチップに、少なくとも、特殊景品を払い出した（正規に取り引きした）取引日時情報、その取引番号情報、及び払い出した景品種類情報とその各枚数の情報を記録した上で、当該景品カード１９を発行する。発行された景品カード１９は、特殊景品１３と共に、景品交換カウンター５の係員から遊技客に渡される。
【００３９】
尚、前記の景品カード１９の表面に、目視可能な情報を印字及び消去可能な機能（いわゆるリライトカード機能）を付加してもよい。こうすることによって、ＩＣチップに記憶されている、取引日時情報、取引番号情報及び払い出した景品種類情報とその各枚数の情報を景品カード１９の表面に印字することが可能になり、景品交換カウンター５の係員及び遊技客はそれぞれ、ＩＣチップに記憶されている情報を認識することが可能になる。
【００４０】
景品交換カウンター５の係員から前記特殊景品１３及び景品カード１９を渡された遊技客は、その景品１３を持って景品交換所６へ行く。前記景品交換所６には、入出金管理ターミナル６１と、景品読取機６２と、カード読取機６３と、現金出金機６４とがそれぞれ設置されており、これらはシリアル通信線６５を介して互いに接続されている。
【００４１】
この景品交換所６において、遊技客（景品交換所６への来場者）は係員に特殊景品１３及び景品カード１９を渡し、その係員が入出金管理ターミナル６１等を操作して特殊景品１３を現金（紙幣や硬貨）に交換し、その現金を前記遊技客へ渡す。尚、遊技客から買い取った特殊景品１３は、図示は省略する景品問屋へ送られ、リサイクル使用すべく、景品問屋から再び遊技ホール１へ卸される。
【００４２】
前記景品読取機６２は、その詳細な図示は省略するが、前記特殊景品１３の非接触ＩＣタグ１４に記憶された情報を読み取る装置であり、特殊景品１３の非接触ＩＣタグ１４に記憶された情報を読み取るための近傍型ＲＦＩＤアンテナを含む情報読取部と、この情報読取部にて読み取られた情報に基づいて特殊景品１３の真偽及び種類を判別する景品判別部と、を備えている。
【００４３】
景品読取機６２の投入口に、遊技客から預かった特殊景品１３を纏めて投入すると共に、操作部において所定のスタート操作を行ったときには、特殊景品１３がその投入口から情報読取部に１つずつ繰り出され、そこにおいて非接触ＩＣタグ１４に記憶されている情報が読み取られる。読み取られた情報に基づいて景品判別部は、特殊景品１３の真偽及び種類を判別し、その判別結果に応じて特殊景品１３は、その種類毎に振り分けられて、収容部に収容される。それと共に、その判別結果（つまり、特殊景品１３の種類毎の数の情報等）が、景品読取機６２から入出金管理ターミナル６１に出力されることになる。
【００４４】
前記カード読取機６３は、その詳細な図示は省略するが、前記景品カード１９のＩＣチップに記憶されている情報を読み取り可能な装置である。カード読取機６３は、遊技客から預かった景品カード１９に記憶されている情報（つまり、取引日時情報、その取引番号情報、及び払い出した景品種類情報とその各枚数の情報等）を読み取ったときには、その情報を入出金管理ターミナル６１に出力する。
【００４５】
カード読取機６３はまた、景品カード１９のＩＣチップに記憶されている情報を消去するように、当該景品カード１９を初期化することも可能に構成されている。初期化した景品カード１９は内部の収納部に回収された後、リサイクル利用すべく遊技ホール１に返却されることになる。
【００４６】
入出金管理ターミナル６１は、図３に示すように、前記カード読取機６３、景品読取機６２、及び現金出金機６４とそれぞれ通信を行うための通信制御部６１１と、景品交換所６の係員等が操作する操作部６１２と、種々の情報が表示される表示部６１３と、現金出金機６４に対する入金及び出金データの管理やその他の処理を行うデータ管理・処理部６１４とを有している。
【００４７】
前述したように、カード読取機６３によって読み取られて出力された景品カード１９の情報（第１の景品交換情報）、及び、景品読取機６２によって読み取られて出力された情報（第２の景品交換情報）はそれぞれ、入出金管理ターミナル６１において受信される。入出金管理ターミナル６１のデータ管理・処理部６１４は、第１及び第２の景品交換情報を照合し、それらが互いに一致しているか否かを判定する。
【００４８】
第１及び第２の景品交換情報が互いに一致しているときには、遊技ホール１の景品交換カウンター５で払い出された特殊景品１３と、当該景品交換所６に持ち込まれた特殊景品１３とが、その種類及び数が共に同じであることになり、第１及び第２の景品交換情報が一致していないときには、遊技ホール１の景品交換カウンター５で払い出された特殊景品１３と、当該景品交換所６に持ち込まれた特殊景品１３とが同一でないことになる。
【００４９】
データ管理・処理部６１４は、第１及び第２の景品交換情報が互いに一致しているときは、その第１及び第２の景品交換情報を表示部６１３に表示すると共に、操作部６１２が操作されることによって現金の払い出しが指示されたときには、支払うべき総金額を算出して、その総金額に対応する紙幣及び硬貨を払い出すように、通信制御部６１１を介して、現金出金機６４に対して現金の払出指示を出力する。
【００５０】
現金出金機６４は、図示は省略するが、紙幣を収容する紙幣収容部及び硬貨を収容する硬貨収容部と、それら紙幣及び硬貨を払い出す払出口と、を備えて構成されており、入出金管理ターミナル６１からの現金の払出指示を受けて、紙幣収容部及び／又は硬貨収容部から繰り出した紙幣及び／又は硬貨を、払出口を通じて払い出す。景品交換所６の係員は、この払い出された現金を遊技客に渡すことになる。
【００５１】
一方、入出金管理ターミナル６１のデータ管理・処理部６１４は、第１及び第２の景品交換情報が一致していないときは、その第１及び第２の景品交換情報を表示部６１３に表示すると共に、それらが一致していないことを表示することにより報知する。この場合の報知は、景品交換所６の係員がそのことを容易に認識し得るように、目立つ態様で報知することが望ましい。また、表示部６１３に表示することと共に、又はそれに代えて、アラーム音を出すようにしてもよい。このときには、仮に操作部６１２の操作によって現金の払い出しが指示されたときでも、データ管理・処理部６１４は、現金出金機６４に対して現金の払出指示の出力は行わない。従って、現金出金機６４から現金が払い出されることがない。
【００５２】
次に、図４を参照しながら前記景品交換カウンター５における、各機器の処理の流れを説明すると共に、図５を参照しながら、前記景品交換所６における、各機器の処理の流れを説明することによって、この景品交換システムにおける景品交換に係る処理動作について説明する。
【００５３】
先ず図４のステップＳ１１では、景品管理ターミナル５１が計数レシート１８の読み取りを行ったか否かを判定する。読み取りを行っていないのＮＯときにはこのステップＳ１１を繰り返す一方、読み取りを行ったときにはステップＳ１２に移行する。前述したように、景品交換カウンター５の係員に遊技客が計数レシート１８を渡したときには、その計数レシートのバーコードがバーコードリーダによって読み取られるため、景品管理ターミナル５１は、遊技媒体の計数情報を取得することになる。
【００５４】
続くステップＳ１２で、景品管理ターミナル５１において所定の操作が行われて特殊景品が選択されたときにはステップＳ１３に移行する。特殊景品が選択されなかったときにはステップＳ１４に移行して、通常景品の交換処理を実行する。
【００５５】
ステップＳ１３では、遊技媒体の計数情報を、特殊景品の景品数に換算し、ステップＳ１５で、景品払出機５３に対して特殊景品の払出指示を行う。この払出指示には、特殊景品の景品数を含む所定の景品交換情報が含まれる。
【００５６】
景品払出機５３では、ステップＳ３１において、景品払出指示を取得したか否かを判定し、払出指示を取得していないときには、このステップＳ３１を繰り返す一方、前述したように景品管理ターミナル５１から出力された景品払出指示を取得したときには、ステップＳ３２に移行する。
【００５７】
ステップＳ３２では、指示内容に従って特殊景品１３を払い出し、ステップＳ３３において、景品の払い出しが完了したか否かを判定する。払い出しが完了したときにはステップＳ３４において払出完了通知を、景品管理ターミナル５１に対して出力する。一方、払い出しが完了していないときには、何らかの異常（例えば景品不足や景品詰まり等）が生じた可能性があるため、ステップＳ３５でアラーム処理を実行する。
【００５８】
景品管理ターミナル５１に戻り、景品払出指示後のステップＳ１６では、カード発行機５４に対して景品カードの発行を指示する。ここでの発行指示には、前記ステップＳ１５で景品払出機５３に対して出力された景品払出指示に含まれる、特殊景品１３の景品数を含む所定の景品交換情報と同じ景品交換情報が含まれる。
【００５９】
カード発行機５４は、先ずステップＳ２１において、カードの発行指示を取得したか否かを判定し、発行指示を取得していないのＮＯのときにはステップＳ２１を繰り返す一方、景品管理ターミナル５１からの発行指示を取得したときにはステップＳ２２に移行する。
【００６０】
ステップＳ２２では、指示内容に従って、そこに含まれる景品交換情報、つまり第１の景品交換情報をＩＣチップに記録することにより、景品カード１９を発行する。
【００６１】
再び景品管理ターミナル５１に戻り、カード発行指示後のステップＳ１７では、景品払出機５３からの払出完了通知を取得したか否かを判定し、払出完了通知を取得したのＹＥＳのときには、処理フローを終了する一方、払出完了通知を取得していないときには、ステップＳ１８に移行して、アラーム処理を実行する。
【００６２】
こうして、景品交換カウンター５においては、遊技媒体の計数情報に対応する特殊景品１３が払い出されると共に、その景品交換情報（第１の景品交換情報）が記録された景品カード１９が発行されることになる。
【００６３】
図５のステップＳ４１では、景品交換所６の景品読取機６２が景品読み取りを開始したか否かを判定する。景品読み取りを開始していないのＮＯのときには、ステップＳ４１を繰り返す一方、遊技客が持ち込んだ特殊景品１３が景品読取機６２にセットされて、所定のスタート操作が行われたときには景品読み取りが開始されるため、ステップＳ４１においてＹＥＳとなり、ステップＳ４２に移行する。
【００６４】
ステップＳ４２では、景品読取機６２は、景品の読み取り及び分類を実行し、ステップＳ４３で景品読み取りが全て完了したか否かを判定する。景品読み取りが全て完了していないのＮＯのときには、ステップＳ４２に戻って景品の読み取り及び分類を継続する一方、景品読み取りが全て完了したときにはステップＳ４４に移行する。
【００６５】
ステップＳ４４では、その読み取り結果を、第２の景品交換情報として入出金管理ターミナル６１に対して出力し、景品の回収を行う（ステップＳ４５）。
【００６６】
一方、カード読取機６３は、ステップＳ５１で景品カード１９を読み取ったか否かを判定し、景品カード１９を読み取っていないのＮＯのときにはステップＳ５１を繰り返す一方、遊技客が特殊景品１３と共に、持ち込んだ景品カード１９がカード読取機６３にセットされて、その景品カード１９の情報を読み取ったのＹＥＳのときにはステップＳ５２に移行する。
【００６７】
ステップＳ５２では、読み取った情報、つまり、第１の景品交換情報を入出金管理ターミナル６１に出力する。
【００６８】
入出金管理ターミナル６１は、ステップＳ６１において、前記カード読取機６３からの第１の景品交換情報及び、景品読取機６２からの第２の景品交換情報をそれぞれ取得したか否かを判定し、取得していないのＮＯのときには、このステップＳ６１を繰り返す一方、取得したのＹＥＳのときにはステップＳ６２に移行する。
【００６９】
ステップＳ６２では、その第１及び第２の景品交換情報を照合し、ステップＳ６３で、その照合が一致するか否かを判定する。一致しているときにはステップＳ６４に移行して、現金出金機６４に対して現金の払出指示を出力する一方、一致していないときにはステップＳ６６に移行して、アラーム処理を行う。具体的には表示部６１３にその旨を表示したり、ブザーを作動させたりする。また、当該取引内容を、異常ログとして保存する。
【００７０】
現金出金機６４は、ステップＳ７１で入出金管理ターミナル６１からの現金の払出指示を取得したか否かを判定し、払出指示を取得していないのＮＯのときにはステップＳ７１を繰り返す一方、払出指示を取得したのＹＥＳのときにはステップＳ７２に移行する。
【００７１】
ステップＳ７２では、現金の払出処理を実行し、続くステップＳ７３で、現金の払い出しが完了したか否かを判定する。払い出しが完了していないのＮＯのときには、ステップＳ７２に戻り、現金の払出処理を継続する一方、払い出しが完了したのＹＥＳのときにはステップＳ７４に移行し、入出金管理ターミナル６１及びカード読取機６３のそれぞれに対して、払出完了通知を出力する。
【００７２】
入出金管理ターミナル６１に戻り、現金の払出指示後のステップＳ６５では、現金出金機６４からの払出完了通知を取得したか否かを判定し、払出完了通知を取得していないのＮＯのときにはステップＳ６６に移行して、アラーム処理を実行する一方、払出完了通知を取得したのＹＥＳのときには、処理フローを終了する。
【００７３】
また、カード読取機６３は、ステップＳ５３で、現金出金機６４からの払出完了通知を取得したか否かを判定し、払出完了通知を取得していないのＮＯのときにはステップＳ５３を繰り返す一方、払出完了通知を取得したのＹＥＳのときにはステップＳ５４に移行して、景品カード１９を収納する。尚、ステップＳ５３とＳ５４との間に、景品カード１９を初期化するステップを設けることによって、景品カード１９を初期化した後に、ステップＳ５４でカードを収納するようにしてもよい。尚、景品カード１９を初期化せずに収納した場合は、その景品カード１９を集計処理に利用することも可能になる。
【００７４】
このように、本実施形態に係る景品交換システムでは、遊技ホール１の景品交換カウンター５において、特殊景品１３の払い出しと共に、ＩＣカードからなる景品カード１９を発行し、景品交換所６では、その特殊景品１３から読み取った景品価値情報（第２の景品交換情報）と、景品カード１９のＩＣチップから読み出した景品交換情報（第１の景品交換情報）とを照合することによって、情報を印字したレシートを利用した従来のシステムと比較して、景品交換業務を円滑に行うことができると共に、その照合が容易かつ正確になるため、景品交換業務の正確性を確保することができる。
【００７５】
尚、本発明の構成は、前記実施形態に限定されるものではなく、それ以外の種々の構成を包含するものである。
【００７６】
図６は、景品交換システムの別の構成を示している。この景品交換システムは、図１に示す景品交換システムと比較して、遊技ホール１の景品交換カウンター５に設置された景品管理ターミナル５１と、景品交換所６の入出金管理ターミナル６１とが、通信線７を介して情報通信可能に互いに接続されている点が異なる。
【００７７】
この構成の景品交換システムでは、景品管理ターミナル５１が、カード発行機５４に出力する景品交換情報と同じ情報を、第３の景品交換情報として入出金管理ターミナル６１に対し出力する。入出金管理ターミナル６１は、出力された第３の景品交換情報を受信したときには、それを記憶しておく。
【００７８】
遊技客が、特殊景品１３と景品カード１９とを景品交換所６に持ち込んだときには、前記と同様に、入出金管理ターミナル６１は、カード読取機６３によって読み取られた景品カードの情報（第１の景品交換情報）と、景品読取機６２によって読み取られた特殊景品１３の情報（第２の景品交換情報）とをそれぞれ取得すると共に、例えば第１の景品交換情報に含まれる取引番号情報等に基づいて、記憶している第３の景品交換情報を読み出す。そうして、入出金管理ターミナル６１は、第１、第２及び第３の景品交換情報を照合して、それらが互いに一致するときには、現金の払い出しを許可すべく、現金出金機６４に対して現金の払出指令を出力する一方、それらが一致しないときには、アラーム処理を行うようにすればよい。このように、第３の景品交換情報をも利用することによって、景品交換システムの正確性がより一層高まるようになる。
【００７９】
尚、前記の構成では、景品カード１９として、ＩＣチップが埋め込まれたＩＣカードを利用しているが、これには限らない。例えば、磁気カード等を利用してもよい。
【００８０】
また、景品カード１９としては、例えば第１の景品交換情報をバーコードによって記録したレシートを利用してもよい。つまり、遊技ホールの景品交換カウンター５では、カード発行機５４に代えて、バーコードを印字可能なレシート発行機を設置して、景品管理ターミナル５１からの第１の景品交換情報に基づいて、その第１の景品交換情報をバーコードによって記録したレシートを発行する。
【００８１】
一方、景品交換所６では、カード読取機６３の代わりに、バーコードリーダを設置し、レシートに印字されたバーコードをバーコードリーダによって読み取ることにより、入出金管理ターミナル６１が、第１の景品交換情報を取得するようにする。
【００８２】
このような構成であっても、レシートには、機械読み取り可能に第１の景品交換情報が記録されているため、景品交換業務を円滑に行うことができると共に、景品交換所６における景品交換情報の照合が容易かつ正確になるため、景品交換業務の正確性を確保することができる。
【００８３】
また、こうしたバーコードを印字したレシートを利用する場合には、レシート発行機やバーコードリーダを利用することができるため、従来の機器をそのまま流用可能になるという利点がある。
【００８４】
さらに、前記の構成では、遊技ホール１の景品交換カウンター５において、第１の景品交換情報を記録した景品カード１９を発行するようにしているが、景品カード１９を発行する代わりに、景品交換カウンター５において遊技客に払い出す特殊景品１３の１つに、第１の景品交換情報を記録するようにしてもよい。こうすることで、景品交換所６においては、景品読取機６２によって、特殊景品１３に記録されている第１の景品交換情報を読み取ることが可能になり、それによって、前記の第１及び第２の景品交換情報の照合が可能になる。こうした構成は、カード発行機５４及びカード読取機６３を不要にするという利点がある。
【００８５】
また、景品交換所６に設置される景品読取機、カード読取機、入出金管理ターミナル及び現金出金機の各機能を一体化することによって、係員を介在せずに、遊技客自身が操作をする、いわゆる無人交換機に、本発明を適用してもよい。
【００８６】
さらに、照合結果が不一致のときのアラーム処理としては、景品交換所６内における報知以外に、景品交換所６から離れた場所（例えば遊技ホールの事務所等）にいる管理者への通報処理を含めるようにしてもよい。
【産業上の利用可能性】
【００８７】
本発明は、遊技ホールが遊技客に提供した特殊景品を、該遊技客が景品交換所で現金に交換するための景品交換システムに有用である。
【図面の簡単な説明】
【００８８】
【図１】景品交換システム全体の構成を示す概略図である。
【図２】特殊景品の斜視図である。
【図３】入出金管理ターミナルの構成を示すブロック図である。
【図４】景品交換カウンターにおける、各機器の処理の流れを示すフロー図である。
【図５】景品交換所における、各機器の処理の流れを示すフロー図である。
【図６】別の構成の景品交換システム全体の構成を示す概略図である。
【符号の説明】
【００８９】
１      遊技ホール
１３    特殊景品
１９    景品カード（記録媒体）
５    景品交換カウンター（第１の景品交換所）
５１    景品管理ターミナル（換算手段）
５３    景品払出機（景品払出手段）
５４    カード発行機（記録媒体発行手段）
６    景品交換所（第２の景品交換所）
６１    入出金管理ターミナル（景品交換情報照合手段）
６１１  通信制御部（第１の情報取得部、第２の情報取得部）
６１４  データ管理・処理部（景品交換情報照合部）
６２    景品読取機（景品読取手段）
６３    カード読取機（記録媒体読取手段）
６４    現金出金機（貨幣払出手段）
【図１】
2010142405.tif 000003
【図２】
2010142405.tif 000004
【図３】
2010142405.tif 000005
【図４】
2010142405.tif 000006
【図５】
2010142405.tif 000007
【図６】
2010142405.tif 000008